(57)【要約】【課題】オットマンを座部下に収容する際において座部高さが高くなることを抑えることが可能なマッサージ機を提供する。【解決手段】座部１２の前部に展開して露出させるオットマン１４の使用状態と、座部１２の下部に収容してオットマン１４の脚部用凹部３２及び足部用凹部３３が前後方向に並ぶよう配置される収容状態との２位置に移動可能な収容展開機構が備えられる。【選択図】図１
2011200453.tif 000002
【特許請求の範囲】
【請求項１】
使用者が着座可能な座部と、該座部の前部に使用者の脚部を載置可能なオットマンとを備え、該オットマンは、前記使用者の脚部を挿入配置可能な脚部用凹部と、前記使用者の足部を足裏から支持可能な足部用凹部とを別体となるよう有し、前記脚部用凹部及び前記足部用凹部の少なくとも一方にマッサージ手段が設けられ、該マッサージ手段にて前記使用者の脚をマッサージするマッサージ機であって、
前記座部の前部に展開して露出させる前記オットマンの使用状態と、前記座部の下部に収容して前記オットマンの脚部用凹部及び足部用凹部が前後方向に並ぶよう配置される収容状態との２位置に移動可能な収容展開機構を備えたことを特徴とするマッサージ機。
【請求項２】
請求項１に記載のマッサージ機において、
前記オットマンは、前記座部の左右方向に延びる回動軸を中心として前記収容展開機構に対して一体回動可能に連結されるとともに、その回動によって前記マッサージ手段によるマッサージが可能な前記使用状態の内のマッサージ可能状態と、前記使用者の脚部を載置可能な載置面が露出する前記使用状態の内の脚載可能状態とに切替え可能に構成されたことを特徴とするマッサージ機。
【発明の詳細な説明】
【技術分野】
【０００１】
本発明は、座部の前部にオットマンを備えたマッサージ機に関するものである。
【背景技術】
【０００２】
従来、使用者が着座可能な座部の前部にオットマンを設け、そのオットマンに使用者の脚部をマッサージする膨縮動作可能なエアバッグを内蔵したマッサージ機が知られている。
【０００３】
ところで、マッサージ機に設けられるオットマンはマッサージ時以外には邪魔となることも多く、その場合にはオットマンを収納できることが望まれている。これに対し、特許文献１のマッサージ機では、例えば座部下部の収容空間を利用してオットマンを収容する構成が開示されている。また、特許文献１のマッサージ機に備えられるオットマンでは、同文献の図１に示されるように使用者の足部を独立して挿入配置可能な一対の断面Ｌ字状の足部用凹部が設けられ、その凹部の側壁にエアバッグを内蔵させ、エアバッグの膨縮動作にて使用者の両脚それぞれを個別に挟んでマッサージすることが可能な構成とされている。
【先行技術文献】
【特許文献】
【０００４】
【特許文献１】特開２００７−７５５９０号公報
【発明の概要】
【発明が解決しようとする課題】
【０００５】
ところで、上記のようなマッサージ機のように、脚部のみのマッサージを行う足部用凹部を有するオットマンである場合には、オットマン全体としての大きさは比較的小さいため、オットマンを座部下に収容することは容易である。
【０００６】
しかしながら、近年のマッサージ機に備えられるオットマンでは、足部用凹部に加え、使用者の脚部（下腿）を支持可能な脚部用凹部が前記足部用凹部とは別体に設ける構成のものが開発されている。このため、オットマン全体として足部用凹部のみの構成と比較して大型化を招き易い。このような構成のオットマンを例えばマッサージ機の座部下に収容しようとすると、上下方向に嵩みやすく、座部高さを高くしなければならない。このことから、脚部用凹部が前記足部用凹部とが別体に設けられる構成のオットマンを座面下に収容する際に座部高さを極力抑えた構成のマッサージ機の開発が望まれている。
【０００７】
本発明は、上記課題を解決するためになされたものであって、その目的は、オットマンを座部下に収容する際において座部高さが高くなることを抑えることが可能なマッサージ機を提供することにある。
【課題を解決するための手段】
【０００８】
上記課題を解決するために、請求項１に記載の発明は、使用者が着座可能な座部と、該座部の前部に使用者の脚部を載置可能なオットマンとを備え、該オットマンは、前記使用者の脚部を挿入配置可能な脚部用凹部と、前記使用者の足部を足裏から支持可能な足部用凹部とを有し、前記脚部用凹部及び前記足部用凹部の少なくとも一方にマッサージ手段が設けられ、該マッサージ手段にて前記使用者の脚をマッサージするマッサージ機であって、前記座部の前部に展開して露出させる前記オットマンの使用状態と、前記座部の下部に収容して前記オットマンの脚部用凹部及び足部用凹部が前後方向に並ぶよう配置される収容状態との２位置に移動可能な収容展開機構を備えたことをその要旨とする。
【０００９】
この発明では、座部の前部に展開して露出させる前記オットマンの使用状態と、前記座部の下部に収容してオットマンの脚部用凹部及び足部用凹部が前後方向に並ぶよう配置される収容状態との２位置に移動可能な収容展開機構が備えられる。このように、オットマンを使用状態から収容状態に収容する際に、オットマンの脚部用凹部及び足部用凹部が座部の前後方向に並ぶように配置することで、座部高さを抑えることが可能となる。
【００１０】
請求項２に記載の発明は、請求項１に記載のマッサージ機において、前記オットマンは、前記座部の左右方向に延びる回動軸を中心として前記収容展開機構に対して一体回動可能に連結されるとともに、その回動によって前記マッサージ手段によるマッサージが可能な前記使用状態の内のマッサージ可能状態と、前記使用者の脚部を載置可能な載置面が露出する前記使用状態の内の脚載可能状態とに切替え可能に構成されたことをその要旨とする。
【００１１】
この発明では、オットマンは、座部の左右方向に延びる回動軸を中心として収容展開機構に対して一体回動可能に連結されるとともに、その回動によってマッサージ手段によるマッサージが可能な使用状態の内のマッサージ可能状態と、使用者の脚部を載置可能な載置面が露出する使用状態の内の脚載可能状態とに切替え可能に構成される。このように、オットマンを使用状態において回動させることでマッサージ可能状態と脚載可能状態に切替えることで、マッサージ手段によるマッサージだけでなく、単に着座してリラックスするための椅子としての利便性を向上させることができる。
【発明の効果】
【００１２】
本発明によれば、オットマンを座部下に収容する際において座部高さが高くなることを抑えることが可能なマッサージ機を提供することができる。
【図面の簡単な説明】
【００１３】
【図１】本実施形態におけるマッサージ機の側面図。
【図２】オットマン収納時のフレーム構造を示す側面図。
【図３】オットマン使用時のフレーム構造を示す側面図。
【図４】オットマン使用時においてオットマン回動させた場合について説明するためのフレーム構造を示す側面図。
【図５】オットマン使用時における脚載可能状態について説明するための側面図。
【発明を実施するための形態】
【００１４】
以下、本発明を具体化した一実施形態を図面に従って説明する。
図１は、マッサージ機の側面を示す。椅子型マッサージ機１０の椅子本体１０ａは、左右一対の支持脚部１１にて支持された座部１２の後端に背もたれ部１３が組み付けられるとともに、座部１２の前端にオットマン１４が座部１２の左右方向の回動支軸１５にて組み付けられてなる。背もたれ部１３には、施療子１６ａを有するメカマッサージ機構１６が内装されるとともに、背もたれ部１３の上下方向及び左右方向にマッサージ機構１６（施療子１６ａ）を所定量移動可能に構成されている。
【００１５】
図２は、椅子型マッサージ機１０の座部１２及びオットマン１４のフレーム構造を示す。座部１２は、前後左右の計４本の支持脚フレーム２１（図２では後部の１つのみ図示）にて支持される座部フレーム２２をクッション材等で内包することで構成されている。
【００１６】
オットマン１４は、断面コ字状の２つのオットマンベース３１の両端部にて左右両側から挟持されて固定される脚部用凹部３２及び足部用凹部３３を有している。脚部用凹部３２は、使用者の下腿部を保持する下腿保持面３２ａと、この下腿保持面３２ａの左右両端部から延出する側壁３２ｂを有している。また、足部用凹部３３は、前記脚部用凹部３２の下腿保持面３２ａと略平行関係となるとともに使用者の踵等を保持可能な踵保持面３３ａと、この踵保持面３３ａと直交する方向に延びるとともに使用者の足裏を保持可能な足裏保持面３３ｂと、前記踵保持面３３ａの左右両端部から延出する側壁３３ｃとを有している。また、前記各凹部３２，３３の各側壁３２ｂ、３３ｃには図示しないエアポンプにて膨縮動作可能なエアバッグ３４が設けられている。
【００１７】
上記のようなオットマン１４では、オットマン１４を平行移動させて座部１２の前部に露出させる使用状態（図３〜図５参照）と、座部１２の下部において脚部用凹部３２及び足部用凹部３３が座部１２の前後方向に並ぶように収容される収容状態（図２参照）との２位置に変更可能な収容展開機構４０が接続されている。
【００１８】
収容展開機構４０は、オットマン１４と接続されるリンク部材４１と、突出機構４２とを有している。収容展開機構４０を構成するリンク部材４１は、その一端側が座部フレーム２２の前部において回動可能に接続されるとともに、他端側がオットマンベース３１を座部１２の左右方向に延びる回動軸４３ａにて回動可能に支持する前後方向に延びる２つのベース部材４３（図２では１つのみ図示）の一端側である前部側と接続されている。また、収容展開機構４０を構成する突出機構４２は、前記ベース部材４３の前後方向後部側とその一端側が接続されるとともに、突出機構４２の他端側が後部の支持脚フレーム２１と接続されている。なお、突出機構４２は、例えばガススプリング等から構成されるとともに、図示しないロック機構により前記収容状態の位置で停止可能に構成されている。また突出機構４２は、前記ロック機構が前記オットマン１４が収容状態において解除されると、自動でベース部材４３を前方に押し出すようになっており、この駆動力によりオットマン１４（ベース部材４３）をリンク部材４１を回動させることでオットマン１４を前記使用可能状態となる位置まで移動されるようになっている。この時、脚部用凹部３２の下腿を保持する下腿保持面３２ａと、足部用凹部３３の足部の踵等を保持する踵保持面３３ａとが座部１２の座面１２ａ（図１参照）と略水平となる位置まで平行移動されて平行状態とされる。このように、下腿保持面３２ａ及び踵保持面３３ａと、座面１２ａとが略平行状態となるため、使用者は膝を伸ばした状態で使用することができるようになっている。
【００１９】
また、突出機構４２によって使用可能状態とされたオットマン１４を前述したようにオットマンベース３１がベース部材４３（回動軸４３ａ）に対して各凹部３２，３３と一体回動させることで、例えば図４に示すマッサージ可能状態や、図５に示す脚載可能状態にその位置（状態）を変更することが可能となっている。ここで、マッサージ可能状態とは使用者の脚部を膝から曲げて前記下腿保持面３２ａ、踵保持面３３ａ、及び足裏保持面３３ｂに使用者の脚部を保持させて各側壁３２ｂ、３３ｃに設けられるエアバッグ３４にてマッサージが可能な状態である。また、脚載可能状態とは、足裏保持面３３ｂの裏面側である載置面３３ｄを座部１２の前方に露出させた状態のことであり、これによってマッサージ以外においても本マッサージ機１０を椅子として使用することができるようになっている。このように載置面３３ｄに使用者の脚部を載置することでエアバッグ３４によるマッサージだけでなく、単に着座してリラックスするための椅子としての利便性を向上させることができる。
【００２０】
次に、本実施形態の特徴的な作用効果を記載する。
（１）座部１２の前部に展開して露出させるオットマン１４の使用状態と、座部１２の下部に収容してオットマン１４の脚部用凹部３２及び足部用凹部３３が前後方向に並ぶよう配置される収容状態との２位置に移動可能な収容展開機構４０が備えられる。このように、オットマン１４を使用状態から収容状態に収容する際に、オットマン１４の脚部用凹部３２及び足部用凹部３３が座部１２の前後方向に並ぶように配置することで、座部１２高さを抑えることが可能となる。
【００２１】
（２）オットマン１４は、ベース部材４３に設けられる座部１２の左右方向に延びる回動軸４３ａを中心として収容展開機構４０に対して一体回動可能に連結される。そして、その回動によってエアバッグ３４によるマッサージが可能な使用状態の内のマッサージ可能状態と、使用者の脚部を載置可能な載置面３３ｄが露出する使用状態の内の脚載可能状態とに切替え可能に構成される。このように、オットマン１４を使用状態において回動させることでマッサージ可能状態と脚載可能状態に切替えることで、エアバッグ３４によるマッサージだけでなく、単に着座してリラックスするための椅子としての利便性を向上させることができる。
【００２２】
（３）また、オットマン１４は、収容展開機構４０により下腿保持面３２ａ及び踵保持面３３ａと、座面１２ａとが略平行状態となる位置で使用することができるため、使用者の脚部（膝）を伸ばした状態でオットマンを使用することができる。
【００２３】
尚、本発明の実施形態は、以下のように変更してもよい。
・上記実施形態では、例えばマッサージを必要としない場合に、使用者の脚部を載せる載置面３３ｄを露出可能に構成したが、載置面３３ｄを露出しない若しくは載置面３３ｄを設けない構成を採用してもよい。
【００２４】
・上記実施形態では、足部用凹部３３及び脚部用凹部３２の各側壁３２ｂ、３３ｃのそれぞれにマッサージ手段としてのエアバッグ３４を設ける構成としたが、いずれか一方の側壁３２ｂ、３３ｃのみに設ける構成を採用してもよい。また、足裏保持面３３ｂにエアバッグ３４を設ける構成を採用してもよい。
【００２５】
・上記実施形態では、突出機構４２をガススプリングにて構成したが、これに限らない。
・上記実施形態では、メカマッサージ機構１６（施療子１６ａ）を背もたれ部１３内部に設ける構成としたが、これに限らず、メカマッサージ機構１６を省略してもよい。
【符号の説明】
【００２６】
１０…マッサージ機、１２…座部、１２ａ…座面、１４…オットマン、３２…脚部用凹部、３３…足部用凹部、３３ｄ…載置面、３４…エアバッグ（マッサージ手段）、４０…収容展開機構、４１…収容展開機構を構成するリンク部材、４２…収容展開機構を構成する突出機構、４３ａ…回動軸。
【図１】
2011200453.tif 000003
【図２】
2011200453.tif 000004
【図３】
2011200453.tif 000005
【図４】
2011200453.tif 000006
【図５】
2011200453.tif 000007